(57)【要約】【課題】モータステータの熱を効率よく除去することが可能な冷却ファン装置を提供する。【解決手段】本発明の冷却ファン装置１０では、多翼ファン１１が回転駆動されると、モータ制御基板６０とケース底壁１３との間の隙間を移動する空気が、モータステータ４０とケース底壁１３との固定部分に当たって中央貫通孔６１からモータステータ４０に向かって流れる。しかも、モータ制御基板６０のロータ対向円環領域のうち位置検出素子６２が配置されていない部分にまで中央貫通孔６１が開口しているので、モータロータ５０の内側面とモータステータ４０の外側面の間の環状隙間の一部に中央貫通孔６１が対向して、そこからモータロータ５０内に空気が流れ込む。これにより、モータステータ４０の熱を効率よく除去することができる。【選択図】図７
2011185113.tif 000002
【特許請求の範囲】
【請求項１】
多翼ファン（１１）をブラシレスモータ（３０）で回転駆動して、それら多翼ファン（１１）及びブラシレスモータ（３０）を収容したファンケース（１２）の一端面の吸引口（１４）から側面の排出口（１５）へと空気を送給する冷却ファン装置（１０，１０Ｖ）において、
前記ブラシレスモータ（３０）のモータロータ（５０）を、筒状にして前記多翼ファン（１１）の中央の筒部（１６）内に配置し、
前記ブラシレスモータ（３０）のモータステータ（４０）を、前記モータロータ（５０）の内側に配置すると共に、前記ファンケース（１２）のうち前記吸引口（１４）と反対側のケース底壁（１３）に前記モータステータ（４０）の一端部を固定し、
前記ブラシレスモータ（３０）のモータ制御基板（６０）に、前記モータステータ（４０）と前記ケース底壁（１３）との固定部分の外側に遊嵌される中央貫通孔（６１，７１，７２，７３，７４）を設け、前記モータ制御基板（６０）を前記ケース底壁（１３）と前記多翼ファン（１１）との間に隙間を有した状態に配置すると共に、前記モータ制御基板（６０）のうち前記モータロータ（５０）の端面と対向するロータ対向円環領域に、前記モータロータ（５０）の回転位置を検出するための位置検出素子（６２）を実装し、そのロータ対向円環領域のうち前記位置検出素子（６２）が配置されていない部分にまで前記中央貫通孔（６１，７１，７２，７３，７４）が開口していることを特徴とする冷却ファン装置（１０，１０Ｖ）。
【請求項２】
前記ケース底壁（１３）から錐形状に隆起し、先端に前記モータステータ（４０）の一端面が固定された錐形台座部（２３）を設け、その錐形台座部（２３）の傾斜側面（２３Ａ）により、前記モータ制御基板（６０）と前記ケース底壁（１３）との間の空気を、前記中央貫通孔（６１，７１，７２，７３，７４）から前記モータロータ（５０）内へと案内可能としたことを特徴とする請求項１に記載の冷却ファン装置（１０，１０Ｖ）。
【請求項３】
前記モータ制御基板（６０）又は前記ケース底壁（１３）の何れか一方から他方に向かって突出し、前記モータ制御基板（６０）と前記ケース底壁（１３）との間を流れる空気が前記中央貫通孔（６１）側に集まるようにガイドするガイド突部（７０）を備えたことを特徴とする請求項１又は２に記載の冷却ファン装置（１０）。
【請求項４】
前記中央貫通孔（６１，７１）を、一方向に長くなった形状にしたことを特徴とする請求項１乃至３の何れか１の請求項に記載の冷却ファン装置（１０，１０Ｖ）。
【請求項５】
前記中央貫通孔（６１，７１）の長手方向の一端が、前記モータステータ（４０）と前記排出口（１５）のうち前記ファンケース（１２）の内側面における開口端（１５Ｋ）との間に配置されたことを特徴とする請求項４に記載の冷却ファン装置（１０，１０Ｖ）。
【請求項６】
モータ駆動電流を生成するためのインバータ回路のＦＥＴ（６３）を、前記モータ制御基板（６０）のうち前記排出口（１５）と前記モータステータ（４０）との間に配置したことを特徴とする請求項５に記載の冷却ファン装置（１０Ｖ）。
【発明の詳細な説明】
【技術分野】
【０００１】
本発明は、多翼ファンをブラシレスモータで回転駆動して空気を送給する冷却ファン装置に関する。
【背景技術】
【０００２】
従来、この種の冷却ファン装置として、ブラシレスモータのモータロータが筒状をなして多翼ファンの中央の筒部内に配置され、さらに、その内側にモータステータが配置されたものが知られている（例えば、特許文献１参照）。
【先行技術文献】
【特許文献】
【０００３】
【特許文献１】特開平１１−３４６４５８号公報（図１）
【発明の概要】
【発明が解決しようとする課題】
【０００４】
しかしながら、上記した冷却ファン装置では、モータステータの周囲をモータロータと多翼ファンの筒部とで二重に囲んだ構造になっているので、モータステータに熱が溜まりやすかった。このため、ブラシレスモータが異常発熱により停止したり、その異常発熱を回避するためにブラシレスモータの出力回転数が下げられて送風量が不足する等の問題が生じていた。
【０００５】
本発明は、上記事情に鑑みてなされたもので、モータステータの熱を効率よく除去することが可能な冷却ファン装置の提供を目的とする。
【課題を解決するための手段】
【０００６】
上記目的を達成するためになされた請求項１の発明に係る冷却ファン装置（１０，１０Ｖ）は、多翼ファン（１１）をブラシレスモータ（３０）で回転駆動して、それら多翼ファン（１１）及びブラシレスモータ（３０）を収容したファンケース（１２）の一端面の吸引口（１４）から側面の排出口（１５）へと空気を送給する冷却ファン装置（１０）において、ブラシレスモータ（３０）のモータロータ（５０）を、筒状にして多翼ファン（１１）の中央の筒部（１６）内に配置し、ブラシレスモータ（３０）のモータステータ（４０）を、モータロータ（５０）の内側に配置すると共に、ファンケース（１２）のうち吸引口（１４）と反対側のケース底壁（１３）にモータステータ（４０）の一端部を固定し、ブラシレスモータ（３０）のモータ制御基板（６０）に、モータステータ（４０）とケース底壁（１３）との固定部分の外側に遊嵌される中央貫通孔（６１，７１，７２，７３，７４）を設け、モータ制御基板（６０）をケース底壁（１３）と多翼ファン（１１）との間に隙間を有した状態に配置すると共に、モータ制御基板（６０）のうちモータロータ（５０）の端面と対向するロータ対向円環領域に、モータロータ（５０）の回転位置を検出するための位置検出素子（６２）を実装し、そのロータ対向円環領域のうち位置検出素子（６２）が配置されていない部分にまで中央貫通孔（６１，７１，７２，７３，７４）が開口しているところに特徴を有する。
【０００７】
請求項２の発明は、請求項１に記載の冷却ファン装置（１０，１０Ｖ）において、ケース底壁（１３）から錐形状に隆起し、先端にモータステータ（４０）の一端面が固定された錐形台座部（２３）を設け、その錐形台座部（２３）の傾斜側面（２３Ａ）により、モータ制御基板（６０）とケース底壁（１３）との間の空気を、中央貫通孔（６１，７１，７２，７３，７４）からモータロータ（５０）内へと案内可能としたところに特徴を有する。
【０００８】
請求項３の発明は、請求項１又は２に記載の冷却ファン装置（１０Ｖ）において、モータ制御基板（６０）又はケース底壁（１３）の何れか一方から他方に向かって突出し、モータ制御基板（６０）とケース底壁（１３）との間を流れる空気が中央貫通孔（６１）側に集まるようにガイドするガイド突部（７０）を備えたところに特徴を有する。
【０００９】
請求項４の発明は、請求項１乃至３の何れか１の請求項に記載の冷却ファン装置（１０，１０Ｖ）において、中央貫通孔（６１，７１）を、一方向に長くなった形状にしたところに特徴を有する。
【００１０】
請求項５の発明は、請求項４に記載の冷却ファン装置（１０，１０Ｖ）において、前記中央貫通孔（６１，７１）の長手方向の一端が、前記モータステータ（４０）と前記排出口（１５）のうち前記ファンケース（１２）の内側面における開口端（１５Ｋ）との間に配置されたところに特徴を有する。
【００１１】
請求項６の発明は、請求項５に記載の冷却ファン装置（１０，１０Ｖ）において、モータ駆動電流を生成するためのインバータ回路のＦＥＴ（６３）を、モータ制御基板（６０）のうち排出口（１５）とモータステータ（４０）との間に配置したところに特徴を有する。
【発明の効果】
【００１２】
［請求項１の発明］
請求項１の冷却ファン装置（１０，１０Ｖ）では、多翼ファン（１１）をブラシレスモータ（３０）で回転駆動すると、ファンケース（１２）内を吸引口（１４）から排出口（１５）へと空気が流れる。すると、ファンケース（１２）のケース底壁（１３）と多翼ファン（１１）との間の隙間の空気も排出口（１５）に向かって流れ、その隙間に配置されたモータ制御基板（６０）の熱が除去される。そして、モータ制御基板（６０）とケース底壁（１３）との間の隙間を流れる空気が、モータ制御基板（６０）の中央貫通孔（６１，７１，７２，７３，７４）からモータステータ（４０）に向かう。ここで、本発明では、中央貫通孔（６１）は、モータ制御基板（６０）のうちモータロータ（５０）の端面と対向するロータ対向円環領域にまで開口しているので、モータロータ（５０）の内側面とモータステータ（４０）の外側面の間の環状隙間へと、中央貫通孔（６１，７１，７２，７３，７４）を通過した空気が容易に流れ込む。これらにより、モータステータ（４０）の周りの空気が流れて、そのモータステータ（４０）の熱を効率よく除去することができ、ブラシレスモータ（３０）の異常発熱を防止することが可能になると共に、ブラシレスモータ（３０）の出力回転数を上げて、送風量の増加を図ることが可能になる。
【００１３】
［請求項２の発明］
請求項２の冷却ファン装置（１０，１０Ｖ）では、ケース底壁（１３）から隆起した錐形台座部（２３）における傾斜側面（２３Ａ）の案内より、モータ制御基板（６０）とケース底壁（１３）との間の空気が中央貫通孔（６１，７１，７２，７３，７４）からモータステータ（４０）に向かってスムーズに流れ、モータステータ（４０）の熱を効率よく除去することが可能になる。
【００１４】
［請求項３の発明］
請求項３の冷却ファン装置（１０Ｖ）によれば、モータ制御基板（６０）とケース底壁（１３）との間を流れる空気をガイド突部（７０）によって集めて中央貫通孔（６１）からモータステータ（４０）へと向かわせることができ、モータステータ（４０）の熱除去の効率が更に向上する。
【００１５】
［請求項４の発明］
請求項４の冷却ファン装置（１０，１０Ｖ）では、中央貫通孔（６１，７１）が一方向に長くなった形状になっているので、中央貫通孔（６１，７１）の短手方向の両側又は片側に位置検出素子（６２）を配置することで、モータ制御基板（６０）のうち位置検出素子（６２）から中央貫通孔（６１，７１）の開口縁までの間隔を広くして、モータ制御基板（６０）における位置検出素子（６２）の近傍部分の強度を十分に確保することができる。
【００１６】
［請求項５の発明］
請求項５の冷却ファン装置（１０，１０Ｖ）では、中央貫通孔（６１，７１）の長手方向の一端が、モータステータ（４０）と排出口（１５）のうちファンケース（１２）の内側面における開口端（１５Ｋ）との間に配置されているので、効率よく、空気を中央貫通孔（６１，７１）に通してモータステータ（４０）側へと向かわせることができる。
【００１７】
［請求項６の発明］
請求項６の冷却ファン装置（１０，１０Ｖ）によれば、ＦＥＴ（６３）を、モータ制御基板（６０）のうち排出口（１５）とモータステータ（４０）との間に配置したのでＦＥＴ（６３）の熱がモータステータ（４０）側に向かうことを防ぐことができると共に、排出口（１５）側に集まってくる空気でＦＥＴ（６３）を効率よく冷却することができる。
【図面の簡単な説明】
【００１８】
【図１】本発明の第１実施形態に係る冷却ファン装置の斜視図
【図２】冷却ファン装置の平面図
【図３】図２のＡ−Ａ切断面における冷却ファン装置の側断面図
【図４】図３のＢ−Ｂ切断面における冷却ファン装置の底断面図
【図５】冷却ファン装置の一部を拡大した底断面図
【図６】図４のＣ−Ｃ切断面における冷却ファン装置の側断面図
【図７】図４のＤ−Ｄ切断面における冷却ファン装置の側断面図
【図８】第２実施形態に係る冷却ファン装置の底断面図
【図９】本発明の変形例に係る冷却ファン装置の一部を拡大した底断面図
【図１０】本発明の変形例に係る冷却ファン装置の一部を拡大した底断面図
【発明を実施するための形態】
【００１９】
［第１実施形態］
以下、本発明の第１実施形態を図１〜図７に基づいて説明する。図１に示すように、本実施形態の冷却ファン装置１０は、多翼ファン１１をファンケース１２内に備えている。ファンケース１２は、偏平な略円筒状のファン収容部１２Ａの側面から排出ダクト１２Ｂを突出させた構造になっている。排出ダクト１２Ｂは、ファン収容部１２Ａの側面から接線方向に延ばした第１ダクト側壁１２Ｃと、その第１ダクト側壁１２Ｃと平行かつファン収容部１２Ａの中心寄りに配置された第２ダクト側壁１２Ｄとを有する角筒状になっている。そして、排出ダクト１２Ｂの内側が排出口１５になっている。
【００２０】
ファン収容部１２Ａの一端の天井壁１２Ｔには、吸引口１４が形成されている。図２に示すように、吸引口１４は円形になっている。そして、吸引口１４の開口縁とファン収容部１２Ａの内側面との間隔が、第２ダクト側壁１２Ｄに近い位置で最も狭く、そこから図２における時計回り方向に進むに従って徐々に広がるように構成されている。なお、図３に示すように、天井壁１２Ｔの内面には、吸引口１４の開口縁をファン収容部１２Ａ内に向かうように湾曲させて開口突部１４Ｔが形成されている。
【００２１】
ファンケース１２のうち偏平方向の一端面全体は、ケース底壁１３で構成され、残り全体が、ケース本体１２Ｈで構成されている。そして、ケース本体１２Ｈの外側面のうちケース底壁１３寄り位置から側方に突出した複数の固定突部１２Ｖにケース底壁１３が螺子止めされている。また、前記した吸引口１４は、ケース本体１２Ｈ側に形成されている。さらに、図１に示すように、ケース本体１２Ｈの外側面のうち天井壁１２Ｔ寄り位置からは、複数のケース固定突片１２Ｗが側方に張り出している。
【００２２】
多翼ファン１１は一般に「シロッコファン」と呼ばれ、中央の筒部１６の周囲に複数の翼板１７を備えている。また、多翼ファン１１は、その中心が吸引口１４の中心に重なるように配置されてファンケース１２内に収容されている。
【００２３】
図３に示すように、多翼ファン１１の筒部１６は、筒壁１６Ａの一端を天板１６Ｂにて閉塞してなり、筒壁１６Ａが天板１６Ｂから離れるに従って徐々に拡径して途中から天板１６Ｂと平行になって側方に張り出した回転鍔部１６Ｃになっている。また、天板１６Ｂは、ファン収容部１２Ａの偏平方向の中央に配置され、回転鍔部１６Ｃは、ケース底壁１３寄りに配置されている。なお、天板１６Ｂは、ファン収容部１２Ａの偏平方向の中央より上側、下側のどちらに配置されてもよい。
【００２４】
翼板１７群は、回転鍔部１６Ｃの外縁部から起立して、筒部１６より高く延びている。また、図２に示すように、多翼ファン１１を軸方向から見ると、各翼板１７は、多翼ファン１１の径方向に対して全体が傾斜していて、これにより、多翼ファン１１を所定方向（図２の矢印の方向）に回転した際に、翼板１７群より内側の空気が翼板１７群の側方へと送給される。また、図３に示すように、翼板１７群のうち多翼ファン１１の回転中心から離れた側の外縁部は、ファンケース１２の天井壁１２Ｔによって覆われると共に、図４に示すように、回転鍔部１６Ｃから外側に突出している。なお、図３に示すように、翼板１７群の外縁部のうち天井壁１２Ｔ側の端部からは翼端突部１７Ｔが突出していて、その翼端突部１７Ｔと天井壁１２Ｔの内面の開口突部１４Ｔとが吸引口１４の径方向で対向している。
【００２５】
ファンケース１２の内部には、多翼ファン１１と共にブラシレスモータ３０が収容されている。そのブラシレスモータ３０のモータロータ５０は、筒状をなして多翼ファン１１の筒部１６内に配置され、更にそのモータロータ５０の内側にモータステータ４０が配置されている。また、モータステータ４０の一端部はケース底壁１３に固定され、そのモータステータ４０に回転可能に支持されたモータ駆動シャフト４６にモータロータ５０と多翼ファン１１とが一体回転可能に固定されている。
【００２６】
詳細には、モータステータ４０は、ステータ支持筒部４２の外側にステータコア４４を嵌合固定して備えている。ステータ支持筒部４２は、周方向に沿って複数の図示しないティースを備え、それらティースに図示しない電磁コイルが巻回された構造になっている。
【００２７】
図６に示すように、ステータ支持筒部４２のうちステータコア４４の一端面からケース底壁１３側に突出した部分には、側方に張り出した固定フランジ４２Ｆが設けられている。一方、ケース底壁１３には、ステータ支持筒部４２を固定するために、錐形台座部２３が設けられている。錐形台座部２３は、ケース底壁１３の一部をファンケース１２内に向かって隆起させた円錐台状をなし、その錐形台座部２３の中心にはセンター孔２４が貫通形成されている。そして、錐形台座部２３のうちセンター孔２４の周りの平坦部分にステータ支持筒部４２の固定フランジ４２Ｆが宛がわれて螺子止めされている。
【００２８】
また、ステータ支持筒部４２のうちケース底壁１３側の端部には、内側を段付き状に拡径して拡径部屋４２Ａが形成されている。その拡径部屋４２Ａ内には、キャップ４１が嵌合され、キャップ４１の閉塞側端部が固定フランジ４２Ｆから突出している。そして、その突出部分がセンター孔２４内に嵌合されることで、ステータ支持筒部４２がケース底壁１３に対して位置決めされている。
【００２９】
ステータ支持筒部４２の内側には、拡径部屋４２Ａを除いた部分にメタル軸受け４５が嵌合されている。そして、モータ駆動シャフト４６は、拡径部屋４２Ａの内側に回転可能に挿通されて一端部が拡径部屋４２Ａ側に突出し、その突出部分に抜止用円板４３が固定されている。
【００３０】
モータロータ５０は、円筒状の筒壁５０Ａの一端部を円板壁５０Ｂによって閉塞した構造をなしている。この筒壁５０Ａは、周方向で複数の磁極を有するように着磁されている。また、円板壁５０Ｂは、モータ駆動シャフト４６のうちステータ支持筒部４２からケース底壁１３と反対側に突出した部分の中間に一体回転可能に固定され、そこより先端側に多翼ファン１１が一体回転可能に固定されている。具体的には、モータロータ５０は、モータ駆動シャフト４６に、例えば、締まり嵌めによって固定されている。一方、多翼ファン１１は、筒部１６の中心部に備えたシャフト挿通管部１６Ｄの内の孔の断面形状とモータ駆動シャフト４６の先端部の断面形状とを共に同じ非円形にして互いに嵌合させることで固定されている。
【００３１】
なお、モータロータ５０と前記した抜止用円板４３とには、メタル軸受け４５の端面と対向する部分に、摺動ワッシャ４４Ａ，４４Ｂがそれぞれ設けられている。
【００３２】
図６に示すように、ブラシレスモータ３０のモータ制御基板６０には、モータステータ４０のうちケース底壁１３への固定部分（即ち、固定フランジ４２Ｆ）の外側に遊嵌される中央貫通孔６１が形成されている。そして、中央貫通孔６１は、ケース底壁１３と多翼ファン１１との間に隙間を有した状態で配置されると共に、モータ駆動シャフト４６の軸方向においては、モータ制御基板６０が、錐形台座部２３の端面とモータロータ５０の端面との間に配置されている。そして、モータ制御基板６０は、ケース底壁１３に対して複数の固定支柱６４（図４参照）を介して固定されている。
【００３３】
また、モータ制御基板６０は、図４に示すように、多翼ファン１１の回転鍔部１６Ｃの外形と略同じ大きさの円板状をなしている。そして、モータ制御基板６０の外縁部が回転鍔部１６Ｃの外縁部に重ねられている。
【００３４】
モータ制御基板６０には、モータロータ５０の回転位置を検出するために、例えば３つのホール素子６２（本発明の「位置検出素子」に相当する）が実装されている。これらホール素子６２は、モータ制御基板６０のうちモータロータ５０の端面と対向したロータ対向円環領域内において周方向で所定の間隔をあけて配置されている。そして、これら各ホール素子６２が受ける磁束強度に基づいて、モータロータ５０の位相を検出する。
【００３５】
モータ制御基板６０には、モータロータ５０の位相に応じた三相交流のモータ駆動電流を生成するためのインバータ回路が実装されている。このインバータ回路は、６つのＦＥＴ６３をブリッジ接続した一般的な回路である。そして、これらＦＥＴ６３群は、モータ制御基板６０のうち排出口１５寄り位置に配置されている。ここで、排出ダクト１２Ｂの第１ダクト側壁１２Ｃと第２ダクト側壁１２Ｄのうちファン収容部１２Ａ側の端部同士を結んだ部分を、排出口１５のうちファンケース１２の内側面における開口端１５Ｋとすると、ＦＥＴ６３群は、隙間を開けて一列に横並びになって開口端１５Ｋに臨んでいる。なお、ホール素子６２群及びＦＥＴ６３群は、図６及び図７に示すように、モータ制御基板６０のうち多翼ファン１１と対向する側の面に配置されている。
【００３６】
図４に示すように、中央貫通孔６１は楕円形になっている。中央貫通孔６１の中心は、モータ駆動シャフト４６の中心に一致し、中央貫通孔６１の長軸は排出口１５の側に向かって延びている。そして、中央貫通孔６１の長軸方向の一端が、排出口１５の開口端１５Ｋとモータ駆動シャフト４６との間に配置されている。また、図５に示すように、中央貫通孔６１における長軸側の両端部は、モータ制御基板６０の上記したロータ対向円環領域内に位置している。これにより、モータロータ５０の内周面とステータコア４４の外周面との環状隙間４０Ｓの一部が、中央貫通孔６１を通してケース底壁１３に臨んでいる。一方、中央貫通孔６１における短軸側の両端部は、ロータ対向円環領域より内側に位置して固定フランジ４２Ｆに隣接している。
【００３７】
本実施形態の冷却ファン装置１０の構成に関する説明は以上である。次に、冷却ファン装置１０の作用効果について説明する。冷却ファン装置１０は、図示しない産業機械の制御ボックスの壁面に取り付けられる。具体的には、例えば、制御ボックスの側壁に換気孔を貫通形成し、その制御ボックスの内側から換気孔に冷却ファン装置１０の吸引口１４（図１参照）を対向させた状態で、ファンケース１２のケース固定突片１２Ｗ群が換気孔の縁部にボルトＢにて固定される。そして、制御ボックスの電源をオンしたときにその制御ボックスから冷却ファン装置１０が受電して、ブラシレスモータ３０にて多翼ファン１１を回転駆動する。
【００３８】
多翼ファン１１が回転駆動されると、ファンケース１２内の中央の空気がファンケース１２内の側部に送られて中央部の圧力が下がり、吸引口１４からファンケース１２内に外気が取り込まれる一方、ファンケース１２内の側部の圧力が上がり、圧縮された空気が排出口１５からファンケース１２外へと排出される。これにより、制御ボックスの換気孔から冷却ファン装置１０を通して外気が取り込まれ、制御ボックス内の熱源が冷却される。
【００３９】
なお、冷却ファン装置１０にて制御ボックス内の空気を外部に排出するように冷却ファン装置１０を制御ボックスに取り付けてもよい。
【００４０】
さて、吸引口１４から排出口１５へとファンケース１２内を空気が通過する際に、ファンケース１２のケース底壁１３と多翼ファン１１との間に隙間の空気も排出口１５に向かって流れる。これにより、ケース底壁１３と多翼ファン１１との間の隙間に配置されたモータ制御基板６０の熱が除去される。そして、モータ制御基板６０とケース底壁１３との間の隙間を流れる空気が、モータステータ４０とケース底壁１３との固定部分における錐形台座部２３の傾斜側面２３Ａに当たって中央貫通孔６１からモータステータ４０に向かって流れる。ここで、中央貫通孔６１は、モータ制御基板６０のうちモータロータ５０の端面と対向するロータ対向円環領域にまで開口しているので、モータロータ５０の内側面とモータステータ４０の外側面の間の環状隙間４０Ｓへと、中央貫通孔６１を通過した空気が容易に流れ込む。その上、中央貫通孔６１の長軸方向の一端が、モータステータ４０と排出口１５のうちファンケース１２の内側面における開口端１５Ｋとの間に配置されているので、効率よく、モータ制御基板６０とケース底壁１３との間の隙間を移動する空気を中央貫通孔６１からモータステータ４０に向かわせることができる。
【００４１】
これらにより、モータステータ４０の周りの空気が流れて、そのモータステータ４０の熱を効率よく除去することができ、ブラシレスモータ３０の異常発熱を防止することが可能になると共に、ブラシレスモータ３０の出力回転数を上げて、送風量の増加を図ることが可能になる。また、モータ制御基板６０のＦＥＴ６３を、モータ制御基板６０のうち排出口１５とモータステータ４０との間に配置したのでＦＥＴ６３の熱がモータステータ４０側に向かうことを防ぐことができると共に、排出口１５側に集まってきた空気でＦＥＴ６３群を冷却することができる。さらに、本実施形態では、中央貫通孔６１の短手方向の両側にホール素子６２群を配置することで、モータ制御基板６０のうちホール素子６２群から中央貫通孔６１の開口縁までの間隔が広くなり、モータ制御基板６０におけるホール素子６２の近傍部分の強度を十分に確保することができる。
【００４２】
［第２実施形態］
図８には、本発明の第２実施形態に係る冷却ファン装置１０Ｖが示されている。この冷却ファン装置１０Ｖでは、モータ制御基板６０からケース底壁１３に向けて１対のガイド突部７０，７０が突出している点のみが第１実施形態と異なる。具体的には、１対のガイド突部７０，７０は、例えば、角柱状の樹脂材を所定長に切断してモータ制御基板６０に接着してなる。そして、それら１対のガイド突部７０，７０は、排出口１５から離れた側に配置され、モータ制御基板６０の外縁部から中央貫通孔６１の開口縁まで延び、中央貫通孔６１に向かうに従って互いに接近している。本実施形態の冷却ファン装置１０Ｖの構成は以上であり、この構成によれば、モータ制御基板６０とケース底壁１３との間を流れる空気をガイド突部７０，７０によって集めて中央貫通孔６１からモータステータ４０へと向かわせることができ、モータステータ４０の熱除去の効率が更に向上する。
【００４３】
［他の実施形態］
本発明は、前記実施形態に限定されるものではなく、例えば、以下に説明するような実施形態も本発明の技術的範囲に含まれ、さらに、下記以外にも要旨を逸脱しない範囲内で種々変更して実施することができる。
【００４４】
（１）前記第１及び第２の実施形態では、中央貫通孔６１が楕円形になっていたが、本発明に係る中央貫通孔は、モータ制御基板のうちモータロータの端面が対向するロータ対向円環領域まで開口していれば、以下の（２）〜（５）に例示する中央貫通孔７１，７２，７３，７４を含め、どのような形状であってもよい。
【００４５】
（２）図９（Ａ）に示した本発明に係る変形例の中央貫通孔７１は、固定フランジ４２Ｆの外径とモータロータ５０の内径との中間の大きさの円形孔部７１Ａに、前記第１実施形態の中央貫通孔６１を重ねて、円形孔部７１Ａから１対の楕円湾曲部７１Ｂ，７１Ｂを突出させた形状になっている。
【００４６】
（３）図９（Ｂ）に示した本発明に係る変形例の中央貫通孔７２は、モータロータ５０の内径と同じ大きさの円形孔部７２Ａから前記１対の楕円湾曲部７２Ｂ，７２Ｂを突出させた形状になっている。
【００４７】
（４）図１０（Ａ）に示した本発明に係る変形例では、ロータ対向円環領域の幅の中央より外縁側にホール素子６２群を配置し、中央貫通孔７３が、ロータ対向円環領域の幅の中央まで開口した円形孔になっている。
【００４８】
（５）図１０（Ｂ）に示した本発明に係る変形例では、ホール素子６２群をロータ対向円環領域の周方向で等間隔に並べて集め、中央貫通孔７４の内径を、ホール素子６２群を集めた領域の内側で小さくして小径部７４Ｂを備えると共に、それ以外の部分で中央貫通孔７４の内径を、ロータ対向円環領域の幅の中央まで開口して大径部７４Ａを備えた構造になっている。
【００４９】
（６）前記実施形態では、中央貫通孔６１が、楕円形状であったが、例えば、略長孔形状、略長方形状、あるいは、図９（Ａ）に示したような形状であってもよい。このような構成によっても、モータ制御基板６０におけるホール素子６２の近傍部分の強度を十分に確保することができる。また、中央貫通孔が、図１０（Ｂ）に示したような形状であっても、同様の効果を奏することができる。
【００５０】
（７）前記実施形態では、モータステータ４０とケース底壁１３との固定部分が複数の部材（即ち、錘形台座部２３、ステータ支持筒部４２、キャップ４１）で構成されていたが、金属の一体成形品（例えば、ダイカスト一体成形品）であってもよいし、樹脂の一体成形品であってもよい。
【符号の説明】
【００５１】
１０，１０Ｖ    冷却ファン装置
１１    多翼ファン
１２    ファンケース
１３    ケース底壁
１４    吸引口
１５    排出口
１６    筒部
１７    翼板
２３    錐形台座部
２３Ａ    傾斜側面
３０    ブラシレスモータ
４０    モータステータ
４２Ｆ    固定フランジ
４４    ステータコア
５０    モータロータ
６０    モータ制御基板
６１，７１，７２，７３，７４    中央貫通孔
６２    ホール素子（位置検出素子）
６３    ＦＥＴ
７０    ガイド突部
【図１】
2011185113.tif 000003
【図２】
2011185113.tif 000004
【図３】
2011185113.tif 000005
【図４】
2011185113.tif 000006
【図５】
2011185113.tif 000007
【図６】
2011185113.tif 000008
【図７】
2011185113.tif 000009
【図８】
2011185113.tif 000010
【図９】
2011185113.tif 000011
【図１０】
2011185113.tif 000012